(57)【特許請求の範囲】
【請求項１】
電話中に、サーバから受信して記憶している複数のコンテントと表示スタイルを定めたスタイルシートとを含みなるコンテンツに関して、電話相手のＩＰ電話装置に対して少なくとも前記スタイルシートに基づいて自装置で表示する表示状態を維持するように生成処理した表示スタイルを定めた情報を送付する手段と、
電話相手のＩＰ電話装置から受信した電話相手の表示状態を再現するように生成されている表示スタイルを定めた情報に従った表示スタイルで指定されたコンテンツを再生する手段と、
を備えるコンテンツを再生する複数のＩＰ電話装置を備え、
前記ＩＰ電話装置相互のＩＰネットワークを介した電話中に、
一方のＩＰ電話装置は、サーバから取得したスタイルシートを含むコンテンツを再生処理すると共に、該コンテンツを電話相手のＩＰ電話装置で再現するための表示スタイルを定めた情報を少なくとも送付し、
電話相手である他方のＩＰ電話装置は、前記コンテンツを再現するにあたり、送られてきた前記表示スタイルを定めた情報に従って前記コンテンツを再生処理する
ことを特徴とするＩＰ電話システム。
【請求項２】
コンテンツを送信する側に当たる前記一方のＩＰ電話装置は、前記表示スタイルを定めた情報と共に自装置でのコンテンツの再生に関する環境情報を通知し、
コンテンツを受信する側に当たる前記他方のＩＰ電話装置は、送られてきた前記表示スタイルを定めた情報と前記環境情報に基づいて、コンテンツの再生環境を調整して再現する
ことを特徴とする請求項１に記載のＩＰ電話システム。
【請求項３】
前記電話は、グループ通話であり、
前記一方のＩＰ電話装置から、電話相手である全てのＩＰ電話装置で再現する前記コンテンツを再生できるように、前記表示スタイルを定めた情報と共にコンテントの一部又は全部を送付し、
前記電話相手である全てのＩＰ電話装置は送られてきた前記表示スタイルを定めた情報及び一部又は全部のコンテントを用いて、前記一方のＩＰ電話装置での再生を再現する
ことを特徴とする請求項１又は２記載のＩＰ電話システム。
【請求項４】
前記一方のＩＰ電話装置は、コンテンツに係る操作について、該操作と同様に成るように操作指示情報を生成して、前記コンテンツを再現しているＩＰ電話装置に対して都度送信して、前記コンテンツに係る動作の同期を図ることを特徴とする請求項１ないし請求項３の何れか一項に記載のＩＰ電話システム。
【請求項５】
コンテンツを送信する側の前記一方のＩＰ電話装置は、個々の電話相手のロケーションを識別して、前記サーバから受信して記憶した一部ないし全部のコンテントを直接的に送信するか 若しくは ＵＲＩを通知して前記サーバから取得させるかを判別し、電話相手のＩＰ電話装置でコンテンツの一部または全部を前記サーバから取得させることを特徴とする請求項１ないし請求項４の何れか一項に記載のＩＰ電話システム。
【請求項６】
ＩＰ電話をかける電話手段と、
サーバから受信して保存した複数のコンテントと表示スタイルを定めたスタイルシートとを含みなるコンテンツを再生する再生手段と、
前記サーバから受信して保存した前記コンテンツに関して、電話相手に対して少なくとも前記スタイルシートに基づいて自装置で表示する表示状態を維持するように生成処理した表示スタイルを定めた情報を送付する送信手段と、
電話相手から送られてきた電話相手の表示状態を再現するように生成されている表示スタイルを定めた情報で指定された表示スタイルに則したコンテンツを保存する保存手段と、
を備え、
ＩＰネットワークを介した電話中に、
サーバから受信して記憶したスタイルシートを含むコンテンツを再生処理すると共に、該コンテンツを電話相手側で再現するための表示スタイルを定めた情報を少なくとも送付するか、若しくは、電話相手側で生成されて送られてきた表示スタイルを定めた情報に基づいて保存されているコンテンツを再生する
ことを特徴とするＩＰ電話装置。
【請求項７】
前記表示スタイルを定めた情報と共に自装置での前記コンテンツの再生に関する環境情報を前記コンテンツを再現する電話相手に通知し、
コンテンツに係る操作について、該操作と同様に成るように操作指示情報を生成して前記コンテンツを再現している通話相手に対して都度送信し、
前記コンテンツを再現する電話相手側で送られてきた前記表示スタイルを定めた情報と前記環境情報及び前記操作指示情報に基づいて、前記コンテンツを再現可能とする
ことを特徴とする請求項６記載のＩＰ電話装置。
【請求項８】
個々の電話相手のロケーションを識別して、前記サーバから受信して記憶した一部ないし全部のコンテントを直接的に送信するか 若しくは ＵＲＩを通知して前記サーバから取得させるかを判別し、電話相手のＩＰ電話装置でコンテンツの一部または全部を前記サーバから取得させることを特徴とする請求項６又は７に記載のＩＰ電話装置。
【請求項９】
情報処理装置の制御部を、
ＩＰネットワークを介したＩＰ電話をかける電話手段と、
サーバから受信して記憶した複数のコンテントと表示スタイルを定めたスタイルシートとを含みなるコンテンツに関して、電話相手に対して少なくとも前記スタイルシートに基づいて自装置で表示する表示状態を維持するように生成処理した表示スタイルを定めた情報を送付する手段と、
電話相手から受信した電話相手の表示状態を再現するように生成されている表示スタイルを定めた情報で指定された表示スタイルに則したコンテンツを再生する手段
として動作させ、
ＩＰネットワークを介した電話中に、
サーバから取得したスタイルシートを含むコンテンツを再生処理すると共に、該コンテンツを電話相手側で再現するための表示スタイルを定めた情報を少なくとも送付するか、若しくは、電話相手側で生成されて送られてきた表示スタイルを定めた情報に基づいて前記電話相手側で表示されているコンテンツに揃えて再現する
ことを特徴とするＩＰ電話プログラム。
【請求項１０】
電話相手のＩＰ電話にＩＰネットワークを介して電話を掛ける工程と、
電話中に、
サーバから取得した複数のコンテントと表示スタイルを定めたスタイルシートとを含みなるコンテンツを再生処理すると共に、電話相手に対して少なくとも前記スタイルシートに基づいて自装置で表示する表示状態を維持するように生成処理した表示スタイルを定めた情報を送付する工程、若しくは電話相手側で生成されて送られてきた表示スタイルを定めた情報に基づいて前記電話相手側表示されているコンテンツに揃えてコンテンツを再生処理する工程と
を行う
ことを特徴とするＩＰ電話システムにおけるコンテンツ同期方法。
【発明の詳細な説明】
【技術分野】
【０００１】
本発明は、ＩＰ電話システムに関し、詳しくは、コンテンツを再生可能であるＩＰ電話装置を含み成るＩＰ電話システム、そのＩＰ電話装置、およびコンテンツ同期方法に関する。
【背景技術】
【０００２】
固定通信網のＩＰ化に伴いＩＰ電話システムが確立しつつある。ＩＰ電話システムでは、多種のＩＰ技術が使用され、電話を可能としている。ＩＰ電話に使用されている技術を例示すれば、ＩＰ（Internet Protocol）、ＳＩＰ（Session Initiation Protocol）、ＶｏＩＰ（Voice over Internet Protocol）、ＬＡＮ（Local Area Network）などの技術に代表され、ＸＭＬ（Extensible Markup Language）、ＨＴＭＬ（HyperText Markup Language）、ブラウザ、符号化／複合化技術なども挙げられる。
【０００３】
また、タッチパネルを採用した大画面の表示部を有するＩＰ電話装置も市場に提供されている。
【０００４】
このような技術を使用したＩＰ電話システムを特許文献１で開示している。  
特許文献１では、ＳＩＰを用いるＩＰ電話システムにおいて、表示部を有するＩＰ電話装置間でその表示を同期させるシステムを開示している。本システムでは、ＳＩＰサーバを介してＩＰ電話装置間でセッションを確立後に、互いに同じ画面を表示させながら通話するネゴシエーションを取るイベント通知を送受信することによって、個々のＩＰ電話装置が所定画面を形成するコンテンツのＵＲＩ（Uniform Resource Identifier）を相手装置に通知して、それぞれのＩＰ電話装置でコンテンツを有するサーバから取得して表示することによりコンテンツを同期させる。
【０００５】
また、関連する技術としては、特許文献２や特許文献３が挙げられる。  
特許文献２では、インターネット上に設けられたサーバにおいて、複数の利用者端末に対して同一のＵＲＩを適宜通知することによって、該当利用者端末間で同一画面を共有するリアルタイム画面遷移情報配信システムを開示している。また、特許文献３では、ＸＭＬデータを表示できない端末に対して、その端末からサーバへのリクエストがＸＭＬデータを要求するリクエストであった際に、そのリクエストの応答を、ＸＭＬに対応してＨＴＭＬに加工するサーバに送ると共に、端末に対して該サーバにアクセスさせてＨＴＭＬを取得させるデバイスを開示している。
【先行技術文献】
【特許文献】
【０００６】
【特許文献１】特開２００８−２１７５８７号公報
【特許文献２】特開２００５−０３８２６４号公報
【特許文献３】特開２００４−１７８０６１号公報
【発明の概要】
【発明が解決しようとする課題】
【０００７】
ブラウザを搭載したＩＰ電話装置では、Webサーバにリクエストを送信して、そのレスポンスとして受けたコンテンツを表示再生している。この際、再生処理によって 受けたコンテンツの内容を知ることができるのは、そのＩＰ電話装置を操作したユーザのみである。  
このため、表示画面や使用方法などでわからないことがあって、電話問い合せを行っても、問い合わされた側ではその問い合わせ内容を確認するのに、口頭での説明に頼ることが多い現状がある。この例では、問い合わせ側と認識をあわせるのが難しい問題が生じて、説明の時間や精度に課題を残す。
【０００８】
この一対策として、特許文献１ではＩＰ電話装置間でＵＲＩを送り合い、各々サーバから同一のコンテンツを取得している。
【０００９】
しかしながら、このような方法には、様々な改善点を残している。例えば、コンテンツの取得元となるサーバの負荷が増す点が挙げられる。これは、特に複数台でのグループ通話を行なった際に顕著になる。  
また、個々のＩＰ電話装置から、同一内容のコンテンツの取得リクエストを行ったとしても、取得元となるサーバから同一内容をレスポンスとして返さないことがある。  
また、個々のＩＰ電話装置の画面解像度や大きさなどが異なる場合には、同様に表示されないことがある。
【００１０】
また、個々のＩＰ電話装置でのコンテンツの再生タイミングがまちまちになることがある。
【００１１】
本発明の目的は、上記事柄に鑑みて、ＩＰ電話において再生するコンテンツを複数台で共有して再現できる優れたＩＰ電話システム、ＩＰ電話装置、およびコンテンツ同期方法を提供することである。
【課題を解決するための手段】
【００１２】
本発明に係るＩＰ電話システムは、電話中に、サーバから受信して記憶している複数のコンテントと表示スタイルを定めたスタイルシートとを含みなるコンテンツに関して、電話相手のＩＰ電話装置に対して少なくとも前記スタイルシートに基づいて自装置で表示する表示状態を維持するように生成処理した表示スタイルを定めた情報を送付する手段と、電話相手のＩＰ電話装置から受信した電話相手の表示状態を再現するように生成されている表示スタイルを定めた情報に従った表示スタイルで指定されたコンテンツを再生する手段と、を備えるコンテンツを再生する複数のＩＰ電話装置を備え、前記ＩＰ電話装置相互のＩＰネットワークを介した電話中に、一方のＩＰ電話装置は、サーバから取得したスタイルシートを含むコンテンツを再生処理すると共に、該コンテンツを電話相手のＩＰ電話装置で再現するための表示スタイルを定めた情報を少なくとも送付し、電話相手である他方のＩＰ電話装置は、前記コンテンツを再現するにあたり、送られてきた前記表示スタイルを定めた情報に従って前記コンテンツを再生処理することを特徴とする。
【００１３】
本発明に係るＩＰ電話装置は、ＩＰ電話をかける電話手段と、サーバから受信して保存した複数のコンテントと表示スタイルを定めたスタイルシートとを含みなるコンテンツを再生する再生手段と、前記サーバから受信して保存した前記コンテンツに関して、電話相手に対して少なくとも前記スタイルシートに基づいて自装置で表示する表示状態を維持するように生成処理した表示スタイルを定めた情報を送付する送信手段と、電話相手から送られてきた電話相手の表示状態を再現するように生成されている表示スタイルを定めた情報で指定された表示スタイルに則したコンテンツを保存する保存手段と、を備え、ＩＰネットワークを介した電話中に、サーバから受信して記憶したスタイルシートを含むコンテンツを再生処理すると共に、該コンテンツを電話相手側で再現するための表示スタイルを定めた情報を少なくとも送付するか、若しくは、電話相手側で生成されて送られてきた表示スタイルを定めた情報に基づいて保存されているコンテンツを再生することを特徴とする。
【００１４】
本発明に係るＩＰ電話システムにおけるコンテンツ同期方法は、電話相手のＩＰ電話にＩＰネットワークを介して電話を掛ける工程と、電話中に、サーバから取得した複数のコンテントと表示スタイルを定めたスタイルシートとを含みなるコンテンツを再生処理すると共に、電話相手に対して少なくとも前記スタイルシートに基づいて自装置で表示する表示状態を維持するように生成処理した表示スタイルを定めた情報を送付する工程、若しくは電話相手側で生成されて送られてきた表示スタイルを定めた情報に基づいて前記電話相手側表示されているコンテンツに揃えてコンテンツを再生処理する工程とを行うことを特徴とする。
【発明の効果】
【００１５】
本発明によれば、ＩＰ電話において再生するコンテンツを複数台で共有して良好に再現できるＩＰ電話システム、ＩＰ電話装置、およびコンテンツ同期方法を提供できる。
【図面の簡単な説明】
【００１６】
【図１】実施の一形態のＩＰ電話システムを示す概略図である。
【図２】ＩＰ電話システムの動作を説明するシーケンス図である。
【図３】実施例に係るＩＰ電話装置の構成を示す機能ブロック図である。
【図４】他の実施例に係るＩＰ電話装置の構成を示す機能ブロック図である。
【図５】他の実施例に係るＩＰ電話システムの動作の一部を説明するシーケンス図である。
【発明を実施するための形態】
【００１７】
本発明の実施の形態を図面に基づいて説明する。
【００１８】
図１は、実施の一形態のＩＰ電話システムを示す概略図である。  
図１に図示するように、ＩＰ電話システムは、複数台のＩＰ電話装置１００〜３００を含み構成される。ＩＰ電話装置１００〜３００は、ＩＰネットワークを介してＩＰ電話装置間で通話できるように設定されている。
【００１９】
ＩＰ電話装置間での通話方法についてはどのような方式でもよく、直接的に呼を設定してもよいし、ＳＩＰを用いてセッションを設定するようにしてもよいし、他の方式でもよい。また、グループ通話を行える方式が好ましい。以下の説明では、呼の設定や音声通信について説明は省略する。
【００２０】
ＩＰ電話装置１００〜３００は、ＩＰ電話をかける電話手段と、保存したコンテンツを再生する再生手段と、そのコンテンツを電話相手に対して送付する送信手段と、電話相手から送られてきたコンテンツを保存する保存手段と、送られてきたコンテンツを再生手段に再生させる手段とを含み成る。コンテンツを例示すれば、Ｗｅｂサーバ４００から得られる画像や音楽、Ｗｅｂページなどで、個々のＩＰ電話装置の表示部やスピーカなどで再生するものであり、ファイル形式や出力形式を問わなくてよい。  
ＩＰ電話装置１００〜３００は、上記各手段を用いて、ＩＰネットワークを介した電話中に、Ｗｅｂサーバ４００から受信して記憶したコンテンツを再生すると共に そのコンテンツを電話相手のＩＰ電話装置に対して送付するか、若しくは、電話相手からコンテンツを受け付け記憶して そのコンテンツを再生することを行なう。このようにして、電話相手との間でコンテンツの再生を同期させる。すなわち、ＩＰ電話装置間でコンテンツの再生を同期させる際に、特定のＩＰ電話装置でサーバから取得したコンテンツを、再生と共に直接的に電話先のＩＰ電話装置に対して送り、受け手側となったＩＰ電話装置がそれを即座に再生する。
【００２１】
なお、使用者の操作を要するコンテンツの再生については、その再生操作と共にコンテンツを通話中の相手ＩＰ電話装置に送付することとしてもよいし、再生指示を待たずに通話中の相手ＩＰ電話装置に送付しておき 再生指示を受けたことを 操作指示情報として送付通知するようにしてもよい。
【００２２】
Ｗｅｂサーバ４００は、一般的なサーバであり、ＩＰ電話装置に対してコンテンツを提供する。提供するコンテンツとしては、Ｗｅｂページや、動画ファイル、音楽ファイルなどが挙げられる。なお、Ｗｅｂサーバ４００は、内部サーバでも外部サーバ（インタネットサーバ）でもよく、どの様な場所（ロケーション）にあってもよい。
【００２３】
交換機５００は、内線や外線の間で呼の取次ぎを行なう。また、交換機５００は、必要に応じて個々のＩＰ電話装置や周辺機器のＩＰアドレスの管理や問合せに対する応答などを行なうと共に、グループ通話や、転送電話、留守番電話サービス等の各種機能を提供する。
【００２４】
上記ＩＰ電話システムにおいて、ＩＰ電話において再生するコンテンツを複数台で共有して再現する。以下ではその動作を説明する。
【００２５】
図２は、ＩＰ電話システムの動作を説明するシーケンス図である。図２に示す様に、ＩＰ電話装置１００、２００間において通話を行なう。またその際に、ＩＰ電話装置１００がＷｅｂサーバ４００から取得したコンテンツを、ＩＰ電話装置１００とＩＰ電話装置２００との間で共有して再現する。
【００２６】
ＩＰ電話装置１００は、ＩＰ電話装置２００との間でＩＰネットワークを介した呼の設定を行なう（ステップＳ１）。例えば、ＳＩＰメソッドを用いて装置間でセッションを確立すればよい。また、必要に応じて各ＩＰ電話装置が交換機５００やＳＩＰサーバ等とＩＰアドレス等の必要な情報を交換すればよい。
【００２７】
次に、ＩＰ電話装置１００とＩＰ電話装置２００との間で、通話中にコンテンツを共有して再現することを設定するイベント通知を交換して同期設定を行なう（ステップＳ２）。この処理は、例えば、一方のＩＰ電話装置から、予め機能ボタンに割当てられたコンテンツ同期設定を使用者によって操作されることによって始めてもよいし、呼の設定と同時的に行なうようにしてもよい。また、音響識別部を設けて 入力された所定のＤＴＭＦ信号列を識別させて送信側受信側がそれぞれ設定処理を行なってもよい。このネゴシエーション処理によって、相互のＩＰ電話装置がコンテンツの授受と同期を行なうことを識別する。
【００２８】
次に、ＩＰ電話装置１００は、再生するコンテンツを、Ｗｅｂサーバ４００から取得して記憶保持する（ステップＳ３）。この処理は、ＷｅｂページであればＧｅｔコマンドなどを使用すればよく、一般的なコマンドを用いて行なえばよい。
【００２９】
次に、ＩＰ電話装置１００は、取得したコンテンツを再生すると共に、電話相手となっているＩＰ電話装置２００に対してそのコンテンツを送付する（ステップＳ４）。
【００３０】
次に、ＩＰ電話装置２００は、送られてきたコンテンツを再生する（ステップＳ５）。この際、コンテンツが送られてきたことに対するレスポンスをＩＰ電話装置１００に送ることが望ましい。
【００３１】
またこの際に、ＩＰ電話装置１００およびＩＰ電話装置２００は、コンテンツの再生に関して同期性を高める処理を行なってもよい。同期性の向上には、ＩＰ電話装置１００およびＩＰ電話装置２００での再生開始タイミングを調整する。
【００３２】
この再生開始タイミングの調整は、ＩＰ電話装置１００でのコンテンツの再生開始タイミングを、コンテンツを相手ＩＰ電話装置２００に送信して その受信開始や受信完了、開始から完了までの中間の特定点などを示す何れか又は複数のレスポンスを受け取ったタイミングで調整する処理を行うこととすればよい。また、コンテンツの種類や転送量、通信速度などに対応させて、待ち時間を調整することとしてもよい。すなわち、送信側ＩＰ電話装置において、受信側での再生開始タイミングを計れる信号をレスポンスとして受け取り、その信号に基づいて再生開始を計り、同期を図る。このようにすれば、送信したコンテンツの相手ＩＰ電話装置での再生開始タイミングと、送信側ＩＰ電話装置での再生開始タイミングとの時間差を調整して所望のように再現できる。
【００３３】
また、コンテンツを送付する側のＩＰ電話装置１００は、使用者から受けたコンテンツに係る操作について、その操作と同様に表現されるように操作指示情報を生成して通話中のＩＰ電話装置２００に対して送信するようにしてもよい。
【００３４】
同様に、コンテンツの送信側ＩＰ電話装置１００は、コンテンツに係る操作を受けてサーバとの間で適宜通信が発生するような際に、相手側でもその操作と同様に成るように、すなわち操作が反映されるように、コンテンツの送信や操作指示情報を通話中のＩＰ電話装置２００に対して送信するようにしてもよい。
【００３５】
また、通話相手側であるＩＰ電話装置２００が送信側ＩＰ電話装置１００で再生しているコンテンツを操作できるように、ＩＰ電話装置２００で生成された操作指示情報をＩＰ電話装置１００が受け入れるようにしてもよい。
【００３６】
このような処理を行えば、例えばスクリプトを含むＷｅｂコンテンツを参照する際などでも、通話相手のＩＰ電話装置の画面上でも同様にリアルタイム的に情報を更新できる。これによって、例えばタッチパネルを採用したＩＰ電話装置での使用者の操作により変化するＷｅｂページの変化などにも追従することができるようになる。
【００３７】
また、コンテンツの送信側ＩＰ電話装置１００は、再生に関する環境情報として、自装置の性能や解像度、ソフトウェアバージョンなどに関する情報を、コンテンツと共に通知することとして、その情報に基づきコンテンツの受信側ＩＰ電話装置２００が受け取ったコンテンツを調整して再生するようにしてもよい。この処理を設けることによって、より相手装置と同様にコンテンツを再現できるようになる。すなわち、再現性を高められる。
【００３８】
上記、ステップＳ３〜Ｓ５の処理を順次繰り返すことによって、電話相手との間でコンテンツの再生を同期させる。すなわち、ＩＰ電話装置でサーバから取得したコンテンツデータに基づく画面や音響などを、電話中のＩＰ電話装置相互で良好に共有できる。また、グループ通話でも同様にコンテンツの再生を共有同期できる。
【００３９】
この方式によれば多くの有益な効果を得られる。  
例示すれば、コンテンツの取得元となるサーバの負荷を低減できる。例えば、構内ＩＰ電話システムに設けられたＬＡＮ上のＨＤＤサーバのように相対的に多くのリクエストを処理できないサーバなどでより顕著になる。また、取得元となるサーバから得られるコンテンツを確実に同一とできる。  
このため、例えば、表示画面や使用方法などでわからないことがあっても、電話問い合せと共に、問い合わされた側でもその問い合わせ内容をコンテンツを確認しながら認識できる。また、説明する側がコンテンツを選び提供することもできる。この例であれば、説明に対する時間の短縮や精度の向上が図れる。
【００４０】
次に、実施例を用いて実施の形態を説明する。  
本実施例では、構内ＬＡＮに接続された２台のＩＰ電話装置とＷｅｂサーバの構成を用いて説明する。また、コンテンツとしてＷｅｂページをＩＰ電話装置間で発呼側に同期させて個々に表示する。
【００４１】
図３は、ＩＰ電話装置の構成例を示す機能ブロック図である。  
ＩＰ電話装置は、ハンドセットや表示画面、テンキー、スピーカ、各種制御ボタン等を有して全体動作を管理する制御部、記憶部としてのＲＯＭおよびＲＡＭを含み成る。表示画面にはタッチパネルを採用する。また、ＩＰ電話装置には、図３に示すように、装置全体を制御すると共にテンキーからの入力を検出してＩＰ電話をかける電話手段として電話機能部１１０、コンテンツを再生する再生手段としてブラウザ１２０、記憶部にサーバや通話相手から取得したコンテンツを保持管理するコンテンツ一時保存部１３０を設ける。加えて、電話相手に再生させるコンテンツを相手に送付する送信手段としてＰｏｓｔリクエスト送信部１４０、電話相手から送られてきたコンテンツを再生させる手段としてＰｏｓｔリクエスト処理部１５０とを設ける。
【００４２】
電話機能部１１０は、ＩＰ電話装置の電話機能を統括的に管理する。また、コンテンツの共有に係る各部を連係させる制御を受け持つ。
【００４３】
ブラウザ１２０は、ユーザの操作によってＷｅｂサーバにＷｅｂページデータの取得リクエストを送信すると共に、Ｗｅｂサーバからそのレスポンスを受信する。レスポンスには、Ｗｅｂページデータが含まれており、そのデータを用いて画面を形成して表示部に表示する。
【００４４】
コンテンツ一時保存部１３０は、記憶部の共有機能や、サーバ機能によって実現すればよい。コンテンツ一時保存部１３０は、Ｗｅｂサーバや相手装置から取得したコンテンツを一時保存し、Ｐｏｓｔリクエスト送信部１４０やＰｏｓｔリクエスト処理部１５０と協働して表示を同期させる。
【００４５】
Ｐｏｓｔリクエスト送信部１４０は、コンテンツ一時保存部１３０からの要求に対してＰｏｓｔリクエストを通話中の相手ＩＰ電話装置（Ｐｏｓｔリクエスト処理部１５０）に送信する。
【００４６】
相手ＩＰ電話装置では、受信したＰｏｓｔリクエストへの応答し、Ｐｏｓｔリクエストに含まれる実データ（Ｗｅｂページデータ）を取得してコンテンツ一時保存部１３０に記憶すると共に、ブラウザ１２０を用いて画面を表示する。
【００４７】
次に、図２のフローチャートに示すステップＳ３からＳ５の処理動作の上記構成における動作について詳細に説明する。
【００４８】
ＩＰ電話装置の電話機能部１１０相互は、発呼者のテンキーへの入力や機能ボタンへの入力、タッチパネルへの入力などを受けて、呼の設定や、コンテンツの同期処理を行うことのネゴシエーションを完了させる。
【００４９】
ＩＰ電話装置のブラウザ１２０は、経時変化やユーザ操作などに基づき、表示すべき画面遷移を行うため、Ｗｅｂサーバに所要のリクエストを送信する。このリクエストに応答として、リクエストを受信したＷｅｂサーバはリクエストに応じたコンテンツ（Ｗｅｂページデータ）を返信する（図２のステップＳ３）。
【００５０】
レスポンスを受信したブラウザ１２０は、受信したコンテンツを一時保存するため、コンテンツ一時保存部１３０にコンテンツを保管させると共に、受信したＷｅｂページを表示する。同時的に、Ｐｏｓｔリクエスト送信部１４０は、受信したＷｅｂページデータをＰＯＳＴリクエストに載せて、通話相手のＩＰ電話装置に対して送信する（ステップＳ４）。なお、ブラウザ以外がコンテンツ一時保存部１３０に保存する処理を行うように構成してもよい。また、Ｗｅｂページのキャッシュデータを利用してもよい。
【００５１】
受信側ＩＰ電話装置では、受信したＰＯＳＴリクエストに含まれているＷｅｂページデータを取得する。その後、コンテンツ一時保存部１３０に保存されたＷｅｂページデータを、ブラウザ１２０によって、画面上に表示する（ステップＳ５）。
【００５２】
このように処理動作をさせることによって、ＩＰ電話装置で受信したＷｅｂページを電話中のＩＰ電話装置へ送信するため、ＩＰ電話装置間でリアルタイム的に同じ表示画面を表示できるようになる。
【００５３】
次に、別の実施例を用いて実施の形態を説明する。  
本実施例では、図１に示した構内ＬＡＮに接続された２台のＩＰ電話装置１００、２００とインターネットに接続されたＩＰ電話装置３００、Ｗｅｂサーバ４００との構成を用いて説明する。また、コンテンツとしてＷｅｂページを３台のＩＰ電話装置間で三者間通話をしつつ表示画面を同期させる。
【００５４】
図４は、ＩＰ電話装置の構成例を示す機能ブロック図である。図３に示したＩＰ電話装置の構成に加え、タイミング調整部１６０、操作通知部１７０、および通信相手ロケーション判定部１８０が追加されている。他の構成は先の実施例と同様に働く。
【００５５】
タイミング調整部１６０は、コンテンツの送信側および受信側でのコンテンツを使用者に提示するタイミングを調整する。この調整は、通話中の受信側ＩＰ電話装置の全てが所定の遅延時間を守りつつ同時的に再生できるように、コンテンツの受信側となるＩＰ電話装置からそれぞれ、コンテンツの受信開始や受信完了などを用いて、受信側での再生開始タイミングを送信側ＩＰ電話装置で計れるように、信号をやり取りする。タイミング調整部１６０は、応答を受けるまでブラウザでの再生を待機させる。
【００５６】
操作通知部１７０は、コンテンツの送信側のＩＰ電話装置で行われる操作を、操作指示情報として、受信側のＩＰ電話装置に通知する。また、受信側のＩＰ電話装置では、受けた操作指示情報に基づき、再生中のコンテンツに操作を加える。なお、操作指示情報に、コンテンツの取得要求を含ませることとしてもよい。この際、操作に伴い新たに必要となるコンテンツについては、ＰＯＳＴリクエスト送信部１４０およびＰＯＳＴリクエスト受信部１５０との間で新たに授受してもよいし、コンテンツの種類によってはＷｅｂサーバから直接取得させるようにしてもよい。
【００５７】
通信相手ロケーション判定部１８０は、通話中の相手ＩＰ電話装置のロケーションを識別して、所定の通信環境内（例えばＬＡＮ内、専用線内、有線環境内）であればコンテンツを直接的にＰＯＳＴコマンドを使用して送り、その環境外であればＵＲＩを通知することによって、相手ＩＰ電話端末にコンテンツを取得させる。また、この両処理を、同時的に 再生するコンテンツ毎に識別させるようにしてもよい。このようにすれば、例えば、受信側となるＩＰ電話装置において、個々の画像ファイルや、１つの動画ファイル、音楽ファイルのように、何れのＩＰ電話装置でも同様に再生されるファイルをインターネット上から取得する一方、スタイルシートのように、機器毎に変化する恐れがあるファイルについて直接的に送ることが可能となり、そのファイルの特性に合わせて受けて側にコンテンツを取得させる方法を選択できる。また、受信側となるＩＰ電話装置の操作者によって、何れの系統又は複合してコンテンツを取得するかを通話中に切り替えたり選択できるようにしてもよい。この選択は、一般的なコマンドやメソッドに乗せて送信側であるＩＰ電話装置に通知すればよい。通話中に切り替えられるようにすれば使用者の意図に沿って 同期性や再現性を高められる。
【００５８】
次に、図２のフローチャートに示すステップＳ３からＳ５の処理動作の上記構成における動作について図５を用いつつ詳細に説明する。
【００５９】
３台のＩＰ電話装置の電話機能部１１０相互は、呼の設定や、コンテンツの同期処理に関するネゴシエーションを完了させる。この際に、各ＩＰ電話装置の接続形態や性能などを確認してもよい。
【００６０】
発呼元であるＩＰ電話装置１００のブラウザ１２０は、経時変化やユーザ操作などに基づき、表示すべき画面遷移を行うため、Ｗｅｂサーバに所要のリクエストを送信する。このリクエストに応答として、リクエストを受信したＷｅｂサーバ４００は、リクエストに応じたコンテンツ（Ｗｅｂページデータ）を返信する（ステップＳ３）。
【００６１】
レスポンスを受信したＩＰ電話装置１００のブラウザ１２０は、コンテンツ一時保存部１３０にコンテンツを保管させる。この際に、ＩＰ電話装置１００は、タイミング調整部１６０、操作通知部１７０、通信相手ロケーション判定部１８０を用いて、コンテンツの再生を待機しつつ、図５に例示するように、相手毎に、受信したコンテンツの種類および相手の位置に応じて、個々のコンテントデータをＰＯＳＴコマンドで送るかＵＲＩを通知して相手装置側で取得させるかを判別し、その判別結果に基づいてＰＯＳＴリクエストで送るコンテンツと操作指示情報と自装置での再生に関する環境情報などを適宜含ませて受信側に送る（ステップＳ４）。この際に、インターネットに接続されているＩＰ電話装置３００とＬＡＮに接続されているＩＰ電話装置２００とで、ファイルの取得処理方法を変えられる。また、表示スタイルのように機器毎に変化するおそれがあるデータを必要に応じてファイル変換などして直接送ることで、機器毎の表示差を無くすことに努め、再現性の向上を図る。
【００６２】
受信側のＩＰ電話装置２００、３００は、送られてきたＰＯＳＴリクエストに応じてレスポンスを行うと共に、送られてきた情報に基づき動作してコンテンツを再生する（ステップＳ５）。
【００６３】
ＰＯＳＴリクエストを送信したＩＰ電話装置１００は、送信したＰＯＳＴリクエストに対するレスポンスが揃うことを待ってコンテンツの再生を開始する（ステップＳ４）。
【００６４】
その後、使用者がコンテンツに操作を行なった場合などに順次上記処理動作を繰り返すことによって、３台のＩＰ電話装置間でリアルタイム的に同じ表示画面を表示できるようになる。なお、通話中の別人または全員が同期中のコンテンツを操作できるように、コンテンツの操作する主体（操作権）を機能ボタンや所定のＤＴＭＦ信号列などで適宜移せる手段を電話機能部に設けてもよい。
【００６５】
このように、本ＩＰ電話機システムによれば、特定のＩＰ電話装置で表示しているブラウザの画面と同じ画面を通話している全てのＩＰ電話装置に表示でき、加えて、画面遷移に合わせて自動的に同期すると共に元となる表示と同様に他のＩＰ電話装置で表示できる。
【００６６】
このように、通話相手が画面遷移を含めてどのような画面を見ているかが自分のＩＰ電話装置で確認できる。そのため、例えば、ホテル等の接客業のケースで質問に対する回答を行なう際になどに、お客様と同じ画面を見ながら接客することが可能となり、認識のずれや勘違いの発生を低減して適切な指示やアドバイスが行えるようになる。
【００６７】
なお、上記説明では、ＩＰ電話装置について説明したが、本発明はパソコンによるＩＰ電話端末にも適用できる。すなわち、ＩＰ電話装置の代わりに、コンテンツを表示可能なＩＰ電話アプリケーションを用いた場合でも同様の効果が得られる。この場合、ＩＰ電話アプリケーションを動作させるパソコン上に、コンテンツ一時保管部１３０やＰＯＳＴリクエスト送信部１４０、ＰＯＳＴリクエスト処理部１５０等を構築して、ＩＰ電話端末として動作させればよい。このパソコンによる形態は、コールセンタなどの顧客に対する説明を行なう使用形態に好適である。
【００６８】
また、コンテンツを送る側のＩＰ電話端末装置（パソコンによるＩＰ電話端末およびＩＰ電話装置）から、ＸＭＬデータをＨＴＭＬデータに変換して送ることとしてもよい。
【００６９】
上記パソコンによる形態を別の表現で説明すれば、ＩＰ電話端末として動作させる情報処理装置（ＩＰ電話端末装置）を、ＲＡＭに展開されたＩＰ電話アプリケーションに基づき、コンテンツ一時保管部、ＰＯＳＴリクエスト送信部、ＰＯＳＴリクエスト処理部、タイミング調整部、操作通知部、通信相手ロケーション判定部として制御部を動作させ、ブラウザや既存の構成と協働させてＩＰ電話機能を実現すればよい。
【００７０】
また、プログラムは、記憶媒体に記録されて頒布されても良い。当該記録媒体に記録されたプログラムは、有線、無線、又は記録媒体そのものを介して、メモリに読込まれ、制御部等を動作させる。尚、記録媒体を例示すれば、オプティカルディスクや磁気ディスク、半導体メモリ装置、ハードディスクなどが挙げられる。
【００７１】
また、ＩＰネットワークは、どのような形態を用いてもよく、有線、無線、それらが混合したネットワークでもよい。
【００７２】
以上説明したように、本発明を適用したＩＰ電話装置は、電話相手との間で再生するコンテンツを複数台で同期できる。
【００７３】
また、ＩＰ電話システムにおいてコンテンツを同期する際の同期速度の向上や、再現性の向上、サーバや通信環境への付加低減を行える。
【００７４】
すなわち、本発明によれば、優れたＩＰ電話において再生するコンテンツを複数台で共有して良好に再現できるＩＰ電話システム、ＩＰ電話装置、およびコンテンツ同期方法を提供できる。
【００７５】
また、本発明の具体的な構成は前述の実施の形態に限られるものではなく、この発明の要旨を逸脱しない範囲の変更があってもこの発明に含まれる。
【００７６】
また、上記の実施形態の一部又は全部は、以下のようにも記載されうる。尚、以下の付記は本発明をなんら限定するものではない。  
［付記１］
電話中にサーバから受信して記憶したコンテンツを電話相手のＩＰ電話装置に対して送付する手段と、
電話相手のＩＰ電話装置から受信したコンテンツを記憶して再生する手段と、
を備えるコンテンツを再生する複数のＩＰ電話装置を備え、
前記ＩＰ電話装置相互のＩＰネットワークを介した電話中に、
一方のＩＰ電話装置は、サーバから受信して記憶したコンテンツを再生すると共に、該記憶したコンテンツを電話相手のＩＰ電話装置に対して送付し、
電話相手である他方のＩＰ電話装置は、前記コンテンツを受信して記憶すると共に、該記憶したコンテンツを再生する
ことを特徴とするＩＰ電話システム。
【００７７】
［付記２］
前記電話は、グループ通話であり、
前記一方のＩＰ電話装置から、電話相手である全てのＩＰ電話装置で再生するコンテンツを取得できるようにコンテンツの一部又は全部を送付し、
該全てのＩＰ電話装置は送られてきたコンテンツを用いて、前記一方のＩＰ電話装置での再生を再現する
ことを特徴とする上記付記記載のＩＰ電話システム。
【００７８】
［付記３］
電話相手のＩＰ電話装置に対してコンテンツを送付する側のＩＰ電話装置での再生は、コンテンツを受信する側のＩＰ電話装置からの該コンテンツの再生開始タイミングを計れる信号を受けた後に、その信号に基づいて行なうことを特徴とする上記付記記載のＩＰ電話システム。
【００７９】
［付記４］
一方のＩＰ電話装置は、コンテンツに係る操作について、該操作と同様に成るように操作指示情報を生成して通話中のＩＰ電話装置に対して送信して、同期を図ることを特徴とする上記付記記載のＩＰ電話システム。
【００８０】
［付記５］
コンテンツを送信する側のＩＰ電話装置は、個々の電話相手のロケーションを識別して、前記サーバから受信して記憶したコンテンツを送信するか 若しくは ＵＲＩを通知するかを判別し、電話相手のＩＰ電話装置でコンテンツの一部または全部を前記サーバから取得させることを特徴とする上記付記記載のＩＰ電話システム。
【００８１】
［付記６］
コンテンツを送信する側のＩＰ電話装置は、自装置でのコンテンツの再生に関する環境情報を、コンテンツと共に通知し、
コンテンツを受信する側のＩＰ電話装置は、通知された環境情報に基づいて、コンテンツを調整して再現する
ことを特徴とする上記付記記載のＩＰ電話システム。
【００８２】
［付記７］
コンテンツを授受するＩＰ電話装置間で、コンテンツへの操作権を受渡しすることを特徴とする上記付記記載のＩＰ電話システム。
【００８３】
［付記８］
コンテンツを授受するＩＰ電話装置は、所定のＤＴＭＦ信号を識別して、コンテンツの同期設定を行なうことを特徴とする上記付記記載のＩＰ電話システム。
【００８４】
［付記９］
コンテンツを授受するＩＰ電話装置は、所定のＤＴＭＦ信号を識別して、コンテンツの操作権の受渡しを行なうことを特徴とする上記付記記載のＩＰ電話システム。
【００８５】
［付記１０］
コンテンツを受信する側のＩＰ電話装置は、自装置でのコンテンツの再生に関する環境情報を、コンテンツを送信する側のＩＰ電話装置に通知し、
コンテンツを送信する側のＩＰ電話装置は、通知された環境情報に基づいて、コンテンツを調整して送信する
ことを特徴とする上記付記記載のＩＰ電話システム。
【００８６】
［付記１１］
電話中に、Ｗｅｂサーバから受信して記憶したＸＭＬデータを、電話相手のＩＰ電話装置に対してＰｏｓｔメソッドを用いて、自端末での該ＸＭＬデータを表示再生する環境情報と共に送付するＰｏｓｔリクエスト送信部と、
電話中に、通話相手から、Ｐｏｓｔメソッドを用いて送られてきたＸＭＬデータを、通話相手から送られてきた環境情報に基づいて、通話相手のＩＰ電話装置での表示再生に合わせるＰｏｓｔリクエスト処理部と、
ＸＭＬデータを表示再生するブラウザと、
を備えるＸＭＬデータを再生するブラウザを搭載した複数のＩＰ電話装置を備え、
前記ＩＰ電話装置相互のＩＰネットワークを介した電話中に、
一方のＩＰ電話装置が、前記Ｗｅｂサーバから取得したＸＭＬデータを表示再生する際に、前記ブラウザが該ＩＰ電話装置の画面上に表示させる内容が判る情報を環境情報として再生するＸＭＬデータと共に相手のＩＰ電話装置にＰｏｓｔリクエスト送信部から送信し、
他方のＩＰ電話装置が、受信したＰｏｓｔリクエストに含まれていたＸＭＬデータと環境情報を取得して、Ｐｏｓｔリクエスト受信部を介することにより相手ＩＰ電話装置での再生状態と同様に自端末のブラウザで該ＸＭＬデータを再現して表示再生する
ことを特徴とするＩＰ電話システム。
【００８７】
［付記１２］
ＩＰ電話をかける電話手段と、
保存したコンテンツを再生する再生手段と、
保存したコンテンツを電話相手に対して送付する送信手段と、
電話相手から送られてきたコンテンツを保存する保存手段と、
を備え、
ＩＰネットワークを介した電話中に、
サーバから受信して記憶したコンテンツを再生すると共に、該記憶したコンテンツを電話相手のＩＰ電話装置に対して送付するか、若しくは、電話相手からコンテンツを受信して記憶すると共に、該記憶したコンテンツを再生する ことにより電話相手との間でコンテンツの再生を同期させる
ことを特徴とするＩＰ電話装置。
【００８８】
［付記１３］
前記電話は、グループ通話であり、
発呼側である際に、電話相手である全てのＩＰ電話装置で再生するコンテンツを取得できるようにコンテンツの一部又は全部を送付し、
該全てのＩＰ電話装置が送られてきたコンテンツを用いて、自装置での再生を再現可能とする
ことを特徴とする上記付記記載のＩＰ電話装置。
【００８９】
［付記１４］
電話中に行なう同期させるコンテンツの再生は、コンテンツを受信する側のＩＰ電話装置からの該コンテンツの再生開始タイミングを計れる信号を受けた後に、その信号に基づいて行なうことを特徴とする上記付記記載のＩＰ電話装置。
【００９０】
［付記１５］
コンテンツに係る操作について、該操作と同様に成るように操作指示情報を生成して通話中のＩＰ電話装置に対して送信して、同期を図ることを特徴とする上記付記記載のＩＰ電話装置。
【００９１】
［付記１６］
個々の電話相手のロケーションを識別して、前記サーバから受信して記憶したコンテンツを送信するか 若しくは ＵＲＩを通知するかを判別し、電話相手のＩＰ電話装置でコンテンツの一部または全部を前記サーバから取得させることを特徴とする上記付記記載のＩＰ電話装置。
【００９２】
［付記１７］
自装置でのコンテンツの再生に関する環境情報を、コンテンツと共にコンテンツを受信する側のＩＰ電話装置に通知し、
コンテンツを受信する側のＩＰ電話装置が通知された環境情報に基づいて、コンテンツを調整して再現可能とする
ことを特徴とする上記付記記載のＩＰ電話装置。
【００９３】
［付記１８］
電話中に、Ｗｅｂサーバから受信して記憶したＸＭＬデータを、電話相手のＩＰ電話装置に対してＰｏｓｔメソッドを用いて、自端末での該ＸＭＬデータを表示再生する環境情報と共に送付するＰｏｓｔリクエスト送信部と、
電話中に、通話相手から、Ｐｏｓｔメソッドを用いて送られてきたＸＭＬデータを、通話相手から送られてきた環境情報に基づいて、通話相手のＩＰ電話装置での表示再生に合わせるＰｏｓｔリクエスト処理部と、
ＸＭＬデータを表示再生するブラウザと、
を備え、
ＩＰネットワークを介した電話中に、
発呼元のＩＰ電話装置となった際に、前記Ｗｅｂサーバから取得したＸＭＬデータを表示再生する際に、前記ブラウザが該ＩＰ電話装置の画面上に表示させる内容が判る情報を環境情報として再生するＸＭＬデータと共に相手のＩＰ電話装置にＰｏｓｔリクエスト送信部から送信し、
受呼するＩＰ電話装置となった際に、受信したＰｏｓｔリクエストに含まれていたＸＭＬデータと環境情報を取得して、Ｐｏｓｔリクエスト受信部を介することにより発呼元のＩＰ電話装置での再生状態と同様に自端末のブラウザで該ＸＭＬデータを再現して表示再生する
ことを特徴とするＩＰ電話装置。
【００９４】
［付記１９］
情報処理装置の制御部を、
ＩＰネットワークを介したＩＰ電話をかける電話手段と、
ＩＰ電話端末相互の電話中にサーバから受信して記憶したコンテンツを電話相手のＩＰ電話端末に対して送付する手段と、
電話相手のＩＰ電話端末から受信したコンテンツを記憶して再生する手段として動作させ、
サーバから受信して記憶した再生するコンテンツを電話相手のＩＰ電話端末に対して送付すると共に、電話相手からコンテンツを受信してそのコンテンツを電話相手のＩＰ電話端末での再生に合わせて再現する
ことを特徴とするＩＰ電話プログラム。
【００９５】
［付記２０］
電話相手のＩＰ電話端末装置に対してＩＰネットワークを介して電話を掛ける工程と、
電話中に、サーバからコンテンツを受信して記憶再生すると共に、前記電話相手のＩＰ電話装置に対して該コンテンツを送付する工程、若しくは 電話中に、電話相手のＩＰ電話端末装置からコンテンツを受信して記憶再生する工程と
を行い、電話相手との間でコンテンツの再生を同期させる
ことを特徴とするＩＰ電話システムにおけるコンテンツ同期方法。
【符号の説明】
【００９６】
１００、２００、３００  ＩＰ電話装置（ＩＰ電話端末装置）
１１０  電話機能部
１２０  ブラウザ
１３０  コンテンツ一時保存部
１４０  Ｐｏｓｔリクエスト送信部
１５０  Ｐｏｓｔリクエスト処理部
１６０  タイミング調整部
１７０  操作通知部
１８０  通信相手ロケーション判定部
４００  Ｗｅｂサーバ
５００  交換機
【図１】
0005721177.tif 000002
【図２】
0005721177.tif 000003
【図３】
0005721177.tif 000004
【図４】
0005721177.tif 000005
【図５】
0005721177.tif 000006